(57)【特許請求の範囲】
【請求項１】
裏側に少なくとも部分的に反射被覆（２）が設けられた第１透明ガラスプレート（４）、ならびに少なくとも１つの電気構成部分（６）を含むミラー（１）であって、
前記第１ガラスプレート（４）が透明および／または半反射部分（８）を含み、
前記第１ガラスプレート（４）が積層ガラス板として形成された透明な接着層（１２）によって第２ガラスプレート（１０）に接着され、
前記第２ガラスプレート（１０）は前記第１ガラスプレート（４）に面する側に導電性を有する材料からなる導電性被覆（１４）を備え、
電気構成部分（６）が前記第１ガラスプレート（４）の透明および／または半反射部分（８）とは反対側の部分において前記第２ガラスプレート（１０）の導電性被覆（１４）の上に取り付けられ、前記導電性被覆（１４）が複数の導体経路（１６）に区分され、前記導体経路（１６）は絶縁経路（１８）によって互いに分離される
ことを特徴とするミラー。
【請求項２】
前記導電性被覆（１４）が熱分解によって付着させた層であることを特徴とする請求項１に記載のミラー。
【請求項３】
前記電気構成部分（６）が、第１ガラスプレート（４）に面する第２ガラスプレート（１０）の側の上に配置されることを特徴とする請求項１または２に記載のミラー。
【請求項４】
前記導電性被覆（１４）が、本質的に、前記第１ガラスプレート（４）に面する前記第２ガラスプレート（１０）の側の上における表面全体にわたって配置されていることを特徴とする請求項１から３までのいずれか一項に記載のミラー。
【請求項５】
前記導電性被覆（１４）が、加熱表面（２０）として第２ガラスプレート（１０）の表面の少なくとも一部の上に構成されることを特徴とする請求項１から４までのいずれか一項に記載のミラー。
【請求項６】
前記第１および第２ガラスプレート（４、１０）間の境界領域に、周辺シール（２２）が配置されることを特徴とする請求項１から５までのいずれか一項に記載のミラー。
【請求項７】
前記電気構成部分（６）が、照明装置および／または切換え装置および／または表示装置から成ることを特徴とする請求項１から６までのいずれか一項に記載のミラー。
【請求項８】
前記照明装置が発光ダイオード（６）から成ることを特徴とする請求項７に記載のミラー。
【請求項９】
前記切換え装置がセンサ、特に光電池（２４）を含むことを特徴とする請求項７に記載のミラー。
【請求項１０】
前記表示装置が、少なくとも１つのフラットスクリーンまたは少なくとも１つの発光ダイオード域から構成されることを特徴とする請求項７に記載のミラー。
【請求項１１】
前記２枚のガラスプレート（４、１０）と前記接着層（１２）とによって作られた積層ガラスミラーが、約８〜５ｍｍ、好ましくは約１０〜１２ｍｍの厚さを有することを特徴とする請求項１から１０までのいずれか一項に記載のミラー。
【発明の詳細な説明】
【技術分野】
【０００１】
本発明は、請求項１の前提部分に記載のミラーに関する。
【背景技術】
【０００２】
反射効果を生じさせる反射被覆を含み、反射被覆が見る人とは反対側に面する透明ガラス担体の裏側に位置しているミラーは周知である。
【０００３】
さらに、そのようなミラーは集積電気手段、例えば照明手段を備えることができることが周知である。
【発明の開示】
【発明が解決しようとする課題】
【０００４】
本発明の目的は、さまざまな電気的機能を備えることができ、特に湿気のある場所で使用するのに適した上述のタイプのミラーを提供することである。
【課題を解決するための手段】
【０００５】
この目的は、請求項１に記載の特徴によって解決される。
【０００６】
本発明によれば、第１ガラスプレートが透明および／または半反射部分を含み、前記第１ガラスプレートが透明な接着層によって第２ガラスプレートに接着されて、積層ガラス板の形になっていることは有利である。電気手段は、第１ガラスプレートの透明および／または半反射部分とは反対側の部分において、第２ガラスプレートの導電性被覆の上に取り付けられている。したがって、第１ガラスプレートは、窓状の凹所として形成された透明または半反射部分を含み、この部分は電気手段と関連してミラーが特定の機能を果たすことを可能にする。
【０００７】
導電性被覆は、熱分解によって付着させた層であることが好ましい。このような層は高い粗度を有するので、導電性接着剤を含む電気構成部分を、導電性で熱分解によって付着させた被覆の表面に堅く結合することができる。この被覆の粗い表面によって、導電性被覆が外れる危険なしに高電流を導入することができる。
【０００８】
この方式では、導電性被覆を介してより高い電流を供給することができるので、低電圧で電気手段を動作させることも可能である。
【０００９】
電気手段は、第１ガラスプレートに面する第２プレートの側に配置されることが好ましい。
【００１０】
電気的被覆は本質的に、第１ガラスプレートに面する第２ガラスプレートの側の上における表面全体にわたって配置される。
【００１１】
電気的被覆をさらに、第１ガラスプレートに面する第２プレートの側の一部分の上に、加熱表面として形成してもよい。
【００１２】
第１ガラスプレートと第２ガラスプレートの間の境界領域には、ミラー縁部の再研磨中に２枚のガラスプレートからできた積層ガラス板を保護する周辺シール配置されている。
【００１３】
電気手段は、例えば照明装置、および／または切換え装置、および／または表示手段を含む。
【００１４】
照明装置は発光ダイオードを含むこともできるが、切換え装置はセンサ、特にフォトオプティカルセンサを含むこともできる。さらに切換え装置を、発光ダイオードと光電池の組合せとして形成してもよい。このような組合せは、例えば反射表面の前面における移動を検出するために適している。
【００１５】
光電池の特定の組合せでは、切換え装置は、機器を制御するためのカーソルのように指位置を使用できるように指の位置が決められる制御機能を実施することもできる。導電性被覆の上では、電気信号が、データ回線または信号回線として使用される導体経路を介してミラーの縁部に伝達されて、そこから電気信号を処理手段に進めることができる。
【００１６】
表示手段は、フラットスクリーンまたは発光ダイオード域を含んでもよい。発光ダイオード域では、情報をチッカーの形で伝達することができる。フラットスクリーンの上では、ＴＶまたはその他のビデオ信号を表示することができる。
【００１７】
２枚のガラスプレートと接着層とによって作られた積層ガラスミラーは、約８〜５ｍｍの厚さを有することが好ましく、約１０〜１２ｍｍの厚さはさらに好ましい。接着層は、例えば第２ガラスプレートの上に電気手段を組み込む鋳造プラスチック層によって構成される。
【００１８】
本発明の一実施形態を、単一の図面を参照して以下に詳細に説明する。
【発明を実施するための最良の形態】
【００１９】
単一の図面は、１枚の透明な接着層１２によって互いに接着された第１透明ガラスプレート４と第２透明ガラスプレート１０とから構成されるミラー１を示す。
【００２０】
第１ガラスプレート４は見る人とは反対に向いた側に反射薄膜２を備え、前記反射薄膜２は、反射性効果を生じさせる反射被覆から成る。反射薄膜２は適当な位置に凹所を含み、透明な部分８を形成する。代替案として、この部分８を半反射型にすることもできる。凹んだ部分８は例えば３０×３０ｍｍのサイズを有することもできる。
【００２１】
第２ガラスプレート１０は、第１ガラスプレート４に面する側に導電性被覆１４を備え、この導電性被覆１４は複数の導体経路１６に区分されてもよく、これらの導体経路１６は絶縁経路１８によって互いに分離されている。積層ガラス板として構成されたミラー１の最外縁部において、周辺シール２２が配置され、この周辺シール２２は、特にミラー縁部が再研磨されるときにミラーもしくは接着層１２を損傷から防止することを目的とする。同時に、このシール２２は湿気の貫通を防止するための特別の緊張性をもたらす。
【００２２】
導電性被覆１４は、粗い表面を有する熱分解によって付着させた層であり、この表面の上には例えば発光ダイオード６が導電性接着剤によって結合されている。導電性接着剤は永続的な電気的接触を可能にし、同時に構成部分、例えば発光ダイオードを固定する。
【００２３】
発光ダイオードは、発光ダイオード６が照明装置として働くように、透明部分または半反射型部分８とは反対側の第２ガラスプレート１０の一個所に配置される。
【００２４】
半反射型部分８では、発光ダイオードはオフに切り換えたときには見えない。
【００２５】
図示された実施形態はさらに、発光ダイオード６と光電池２４との組合せを含み、この両方は透明部分８の反対側に配置されている。
【００２６】
例えば、発光ダイオード６は光電池２４と共に、切換え装置を形成することもできる。他のセンサ装置を第２ガラスプレート１０の導電性層１４の上に配置することもできることを理解されたい。
【００２７】
導電性被覆１４は、これに電流を通すとその抵抗特性によって加熱されるようになっているので、これをさらに加熱表面２０として使用することもできる。これによって、ミラー１を湿気による曇りから防ぐことができる。
【００２８】
したがって上述のミラーを、特に湿気のある個所に適した、ケーブルのない照明装置および／または切換えもしくはセンサ装置および／またはパネルヒーターを統合した積層ガラスミラーにすることもできる。さらにまた、このミラーを、例えば側壁の形で浴室の中に統合することもできる。
【００２９】
ミラー１には、電気的構成部分の内部相互接続に関してはケーブルが全くない。電流供給もしくはデータおよび／または信号の伝達の目的のために、ミラー１の縁部または裏側にケーブルを接続することもできることを理解されたい。
【図面の簡単な説明】
【００３０】
【図１】本発明によるミラーの断面図である。
【図１】
0004537384.tif 000002